(57)【要約】【課題】  細径の電線の取り出しを容易にすること。【解決手段】  電線供給台の収容部材３０に設けた開口部材４０は、電線の端末を受ける底部４２ａと、この底部４２ａと連続して、収容部材３０から電線があふれ出すのを規制する壁部４２ｂ、４３とを一体に有し、これら底部４２ａと壁部４２ｂとには、各部４２ａ、４２ｂに接している電線と開口部材３０の内面との間に作業者の指を入れる作業空間Ｓを形成する起伏部４２ｃ、４２ｄ、４２ｅが設けられている。【選択図】      図２
2005259399.tif 000002
【特許請求の範囲】
【請求項１】
電線を当該電線の長手方向に沿って収容する収容部材と、
この収容部材の一方の端部に設けられ、作業者が収容された電線を取り出すための取出し口を形成する開口部材と
を備えた電線供給台において、
上記開口部材は、電線の端末を受ける底部と、この底部と連続して、収容部材から電線があふれ出すのを規制する壁部とを一体に有し、これら底部と壁部とには、各部に接している電線と開口部材の内面との間に作業者の指を入れる作業空間を形成する起伏部が設けられていることを特徴とする電線供給台。
【請求項２】
請求項１記載の電線供給台において、
上記底部の起伏部は、当該開口部材の幅方向に沿って下方に窪む溝部と、この溝部と連続し、且つ収容部材の他方の端部側に扇状に形成され、溝部に近接するに連れて下方に窪む扇部と
を有していることを特徴とする電線供給台。
【発明の詳細な説明】
【技術分野】
【０００１】
本発明は、電線供給台に関し、特に、調尺された被覆電線の両端部に端子を有する端子付電線をストックする電線供給台に関する。
【背景技術】
【０００２】
一般にワイヤーハーネスを製造する場合、多種類の電線を品番別にストックすることが必要である。そのようなストック台として、電線の種類に応じ、樋状の電線収容部材を連設したものが広く使用されている（例えば特許文献１、２）。
【特許文献１】特開平０９−２９８０１６号公報
【特許文献２】特開平０９−１９８９３９号公報
【発明の開示】
【発明が解決しようとする課題】
【０００３】
近年、ワイヤーハーネスを構成するコネクタの多極化や回路構成の複雑化に伴い、部品の軽量化のため、電線の径が細くなる傾向にある。そのような、細径（例えば直径が０．３ｍｍ）電線を電線収容部材から取り出す場合、本数が少なくなって、電線が底部に接していると、その電線を作業者がつまみにくくなり、作業効率が著しく低下するという不具合が生じるようになった。
【０００４】
本発明は上記不具合に鑑みてなされたものであり、細径の電線の取り出しが容易になる電線供給台を提供することを課題としている。
【課題を解決するための手段】
【０００５】
上記課題を解決するために本発明は、電線を当該電線の長手方向に沿って収容する収容部材と、この収容部材の一方の端部に設けられ、作業者が収容された電線を取り出すための取出し口を形成する開口部材とを備えた電線供給台において、上記開口部材は、電線の端末を受ける底部と、この底部と連続して、収容部材から電線があふれ出すのを規制する壁部とを一体に有し、これら底部と壁部とには、各部に接している電線と開口部材の内面との間に作業者の指を入れる作業空間を形成する起伏部が設けられていることを特徴とする電線供給台である。
【０００６】
本発明の好ましい態様において、上記底部の起伏部は、当該開口部材の幅方向に沿って下方に窪む溝部と、この溝部と連続し、且つ収容部材の他方の端部側に扇状に形成され、溝部に近接するに連れて下方に窪む扇部とを有している。
【０００７】
本発明の別の態様において、上記収容部材の他方の端部に設けられ、収容部材に導入される電線の導入口を二分する仕切部材をさらに備えている。
【発明の効果】
【０００８】
本発明によれば、作業者が収容された電線を取り出すための取出し口を形成する開口部材に起伏部が設けられているので、開口部材の底部に接している電線を取り出す際、作業者は、当該電線と開口部材の内面との間に形成される作業空間に指を入れて、電線を容易につかむことができる。従って本発明によれば、小径の電線が底部に接している場合でも、その取り出しが至って容易になるという顕著な効果を奏する。
【０００９】
また、開口部材の幅方向に沿って下方に窪む溝部と、この溝部と連続し、且つ収容部材の他方の端部側に扇状に形成され、溝部に近接するに連れて下方に窪む扇部とを有している構成では、作業者の親指を溝部に導入させ、扇部に人差し指や中指を導入させて電線を摘むことができるので、利き腕に拘わらず、容易に底部に接している電線をつまむことができるという利点がある。
【００１０】
また、収容部材に導入される電線の導入口を二分する仕切部材をさらに備えている構成では、複数の収容部材に対して電線を作業者が導入する際、例えば各収容部材に対して一方の導入口にのみ電線を供給し、他方の導入口には、一方の導入口に収容された電線の減り具合をみながら供給することができる。従って、その場合には、電線の供給負荷の最適配分を図ることができ、さらに、全ての品番の電線について、品切れ率とサービス率とをバランスさせることが可能になる。
【発明を実施するための最良の形態】
【００１１】
図１を参照して、図示の実施形態に係る電線供給台１０は、フレーム状のキャスター付スタンド１１と、このスタンド１１上に並設された複数の樋２０とを有している。
【００１２】
スタンド１１は、複数のパイプ１２、１４を連結具１５で連結して全体として概ね直方体に構成された構造品であり、その下部四隅には、キャスター１６が設けられている。なお以下の説明では、このスタンド１１の長手方向を仮に前後方向とする。スタンド１１の最上部には、長手方向において、一方が低く傾斜するように屈曲した担持パイプ１４を有している。そして、次に説明する樋２０は、この担持パイプ１４並びに担持パイプ１４の幅方向に横架された図略の桟によって一端側が下向きに傾斜した状態で、平行に担持されている。以下の説明では、樋２０が下向きに傾斜している側を仮に前方とする。
【００１３】
図示の例において、樋２０は、端子Ｔが端末に接続された端子付電線ＷＴ（図３参照）を前後方向に沿って収容する収容部材３０と、この収容部材３０の一方の端部に固定された開口部材４０と、他方の端部に固定された仕切部材５０とを有している。
【００１４】
図１及び図２を参照して、収容部材３０は、透明の樹脂成型品であり、断面が横長の長方形に形成された筒部材である。この収容部材３０は、周知の固着手段によって、着脱自在にスタンド１１の上に並設されている。また、次に説明する開口部材４０の取出し口４０ａを全て解放するように、長手方向において、上側が多段に積層されている。
【００１５】
収容部材３０の前端部には、開口部材４０が固定されている。
【００１６】
図２を参照して、開口部材４０は、収容部材３０の開口端に対し、内部が連通した状態で固定されている矩形の筒部４１と、この筒部４１に連続して前方に延びるトレイ部４２と、トレイ部４２の前端部に設けられ、トレイ部４２に導出される収容部材３０内の端子付電線ＷＴがトレイ部４２からあふれ出すことを規制する端壁部４３とを一体に有している樹脂成型品である。収容部材３０に収容された電線を取り出すための取出し口４０ａは、これら筒部４１、トレイ部４２、及び端壁部４３が区画する部位によって形成されている。
【００１７】
図示の実施形態における上記筒部４１は、その上面部に連結用の突起４１ａを有している。開口部材４０の下面部には、この突起４１ａに対応する溝４０ｂが形成されている。従って、図示の例では、複数の収容部材３０を図１のように積層する際、上側の開口部材４０に形成された溝４０ｂを下側の開口部材４０に形成された突起４１ａに嵌合させることにより、精緻な位置決めを図りながら複数層に積層することが可能になる。また、筒部４１の前端上壁部には、滑り止めのリブ４１ｂが一体形成されており、上記突起４１ａと協働して、上側に積層される開口部材４０の前端部分をこのリブ４１ｂで位置決めするようにしている。
【００１８】
上記トレイ部４２は、筒部４１及び端壁部４３となめらかに連続する底部４２ａと、この底部の両側部に一体形成され、筒部４１及び端壁部４３と概ねフラットな状態で連続する一対の側壁部４２ｂとを有している。
【００１９】
トレイ部４２が区画する取出し口４０ａの前後方向の寸法Ｌは、作業者の片手が導入されるのに必要充分な寸法に設定されている。
【００２０】
底部４２ａには、幅方向に延びる半円形断面の溝部４２ｃと、この溝部４２ｃの後ろ側にて扇状に窪む扇部４２ｄとが形成されている。
【００２１】
溝部４２ｃは、底部４２ａのフラット面に対し、例えば８ｍｍ程度窪み、所定の曲率半径で円弧面を形成してなめらかにフラット面に連続している。
【００２２】
扇部４２ｄは、概ね全幅にわたって浅く窪み、前後方向において、溝部４２ｃ側が深く窪むような球面状の曲面を呈している。
【００２３】
これら溝部４２ｃ、扇部４２ｄにより、作業者は、容易に端子付電線ＷＴを取り出すことができる。図３を参照して、より詳細に説明すると、端子付電線ＷＴの本数が少なくなって、端子付電線ＷＴが底部４２ａのフラット面に接している場合であっても、溝部４２ｃ、扇部４２ｄの存在により、作業者が指で端子付電線ＷＴを把持するための作業空間Ｓが形成されることになる。この結果、細径の端子付電線ＷＴをストックしている場合でも、作業者は、容易に端子付電線ＷＴを把持することが可能になる。
【００２４】
次に、図示の実施形態において、トレイ部４２の各側壁部４２ｂには、突起４２ｅが形成されている。各突起４２ｅは、成型時に側壁部４２ｂの一部を窪ませて形成したものである。
【００２５】
図２及び図４を参照して、突起４２ｅは、トレイ部４２内にある端子付電線ＷＴのうち、両側にあるものが側壁部４２ｂの内面に沿ってきた場合に、側壁部４２ｂと端子付電線ＷＴとの間に指を入れるだけの作業空間Ｓを形成するためのものである。この突起４２ｅにより、図示の実施形態では、側壁部４２ｂに寄った端子付電線ＷＴをも容易に取り出すことが可能になる。
【００２６】
図２〜図４を参照して、端壁部４３は、筒部４１と概ね同じ高さに設定されて、端子付電線ＷＴの端子Ｔがあふれるのを防止している。図示の例において、端壁部４３の上部は面取りが施されており、その幅方向片側（手前側）には、品番表示部材（例えばシール）を貼着するための矩形の凹部４３ａが形成されている。
【００２７】
次に図１及び図５を参照して、収容部材３０の後端部には、仕切部材５０が固定されている。
【００２８】
仕切部材５０は、開口部材４０と同様に、内部が連通した状態で収容部材３０の後端部に固定される筒部５１と、この筒部に連続するトレイ部５２とを一体に有している樹脂成型品である。このトレイ部５２は、後ろ側が僅かに受け向きに湾曲した底部５２ａと、底部５２ａの両側に配置されて対をなす側壁部５２ｂと、両側壁部５２ｂの間にこれら側壁部５２ｂと平行に配置され、当該筒部５１を二つに仕切る仕切板部５２ｃとを一体に有している。
【００２９】
この仕切部材５０によれば、仕切板部５２ｃと何れか一方の側壁部５２ｂとの間に区画される導入口５４ａから端子付電線ＷＴを導入し、他方の側壁部５２ｂと仕切板部５２ｃとの間に区画される導入口５４ｂに対しては、時間差を設けて端子付電線ＷＴを導入することが可能になる。この結果、図１に示すように、多数の収容部材３０を積層して連設し、それぞれに種類の異なる端子付電線ＷＴを供給する場合に、例えば、まず、各収容部材３０の一方の導入口５４ａのみに端子付電線ＷＴを供給し、端子付電線ＷＴの消費が早い順に他方の導入口５４ｂから端子付電線ＷＴを供給させることによって、端子付電線ＷＴを供給する作業者の供給負荷を最適配分することができ、さらに、全ての品番の端子付電線ＷＴについて、品切れ率とサービス率とをバランスさせることが可能になる。
【００３０】
本実施形態によれば、作業者が収容された端子付電線ＷＴを取り出すための取出し口４０ａを形成する開口部材４０に起伏部としての溝部４２ｃ、扇部４２ｄ、突起４２ｅが設けられているので、開口部材４０の底部４２ａに接している端子付電線ＷＴを取り出す際、作業者は、図３、図４で示したように、当該端子付電線ＷＴと開口部材４０の内面との間に形成される作業空間Ｓに指を入れて、端子付電線ＷＴを容易につかむことができる。従って本実施形態によれば、小径の端子付電線ＷＴが底部４２ａに接している場合でも、その取り出しが至って容易になるという顕著な効果を奏する。
【００３１】
また、起伏部として、図２、図３で示したような溝部４２ｃ、扇部４２ｄとを有している構成では、作業者の親指を溝部４３ｃに導入させ、扇部４２ｄに人差し指や中指を導入させて端子付電線ＷＴを摘むことができるので、利き腕に拘わらず、容易に底部４２ａに接している端子付電線ＷＴをつまむことができるという利点がある。
【００３２】
上述した実施形態は本発明好ましい具体例に過ぎず、本発明は上述した実施形態に限定されない。例えば、本発明における「起伏部」は、溝部４２ｃ、扇部４２ｄ、突起４２ｅを全て備えている必要はない。
【００３３】
その他、本発明の特許請求の範囲内で種々の変更が可能であることはいうまでもない。
【図面の簡単な説明】
【００３４】
【図１】本発明の実施形態に係る電線供給台の全体構成を示す斜視図である。
【図２】図１の電線供給台の要部を示す斜視図である。
【図３】図１の電線供給台の要部を示す断面部分略図である。
【図４】図１の電線供給台の要部を示す平面略図である。
【図５】図１の電線供給台の要部を示す斜視図である。
【符号の説明】
【００３５】
１０  電線供給台
２０  樋
３０  収容部材
４０ａ      取出し口
４０  開口部材
４２ａ      底部
４２ｂ      側壁部
４２ｃ      溝部（起伏部の一態様）
４２ｄ      扇部（起伏部の一態様）
４２ｅ      突起（起伏部の一態様）
５０  仕切部材
５４ａ      導入口
５４ｂ      導入口
ＷＴ  端子付電線（電線の一例）
【図１】
2005259399.tif 000003
【図２】
2005259399.tif 000004
【図３】
2005259399.tif 000005
【図４】
2005259399.tif 000006
【図５】
2005259399.tif 000007